(57)【特許請求の範囲】
【請求項１】
１つ以上の入力ポートと、
１つ以上の出力ポートと、
前記入力ポートから導入される１つ以上の信号光を独立に偏向させて任意の前記出力ポートに選択的に入射させる１つ以上の偏向素子と、
この偏向素子の偏向角を制御する制御装置とを備え、
前記偏向素子は、前記入力ポートの光軸上に配置された第１の偏向素子と、前記出力ポートの光軸上に配置された第２の偏向素子とからなり、前記制御装置に電源が供給されていない状態において、前記入力ポートから導入される信号光を前記入力ポートおよび前記出力ポートのいずれにも入射させない方向に偏向するよう配置され、
前記制御装置に電源が供給されていない状態において、前記信号光が第１の偏向素子により偏向された後の光軸である第１の光軸と、この第１の偏向素子と向かい合う第２の偏向素子の出射光軸と前記出力ポートの光軸とが一致する場合の第２の偏向素子への入射光軸である第２の光軸とが一致しないことを特徴とする光スイッチ。
【請求項２】
請求項１に記載の光スイッチにおいて、
前記第１の光軸と前記第２の光軸とは平行であることを特徴とする光スイッチ。
【請求項３】
請求項２に記載の光スイッチにおいて、
前記出力ポートは、その入射端面が２次元的に並ぶように配置された複数の出力ポートからなり、
前記第２の偏向素子は、各々の前記第２の光軸が平行となるように各出力ポートの光軸上に２次元的に配置された複数の偏向素子からなり、
前記第１の偏向素子の第１の光軸は、この第１の偏向素子と向かい合う２つの第２の偏向素子の隙間を通ることを特徴とする光スイッチ。
【請求項４】
請求項１乃至３のいずれか１項に記載の光スイッチにおいて、
前記制御装置は、電源が供給された時点から所定時間が経過するまで、前記電源が供給されていない状態の前記偏向素子の偏向角度を維持することを特徴とする光スイッチ。
【請求項５】
請求項１乃至４のいずれか１項に記載の光スイッチにおいて、
前記偏向素子の少なくとも１つは、回動可能な反射ミラーであることを特徴とする光スイッチ。
【発明の詳細な説明】
【技術分野】
【０００１】
本発明は、傾斜角が可変なマイクロミラーを用いた光スイッチに関するものである。
【背景技術】
【０００２】
光スイッチを実現するための技術の一つとして、ＭＥＭＳ（Micro Electro Mechanical Systems）技術によるマイクロミラーを用いたものが提案されている（例えば非特許文献１参照）。
図７に光スイッチの基本構成例を示す。図７において、１ａは入力ポート、１ｂは出力ポート、２ａは入力側マイクロミラーアレイ、２ｂは出力側マイクロミラーアレイである。入力ポート１ａと出力ポート１ｂは、それぞれ２次元的に配列された複数の光ファイバからなり、マイクロミラーアレイ２ａ，２ｂは、それぞれ２次元的に配列された複数のマイクロミラー３ａ，３ｂからなる。図７における矢印は光ビームの進行方向を示している。
【０００３】
入力ポート１ａからの入射光は、入力側マイクロミラーアレイ２ａ内の当該入力ポートに対応する入力側マイクロミラー３ａにより反射偏向される。マイクロミラー３ａは、２軸周りに回動可能なため、マイクロミラー３ａの反射光を出力側マイクロミラーアレイ２ｂ内の任意のマイクロミラー３ｂに向けることができる。出力側のマイクロミラー３ｂも同様に２軸周りに回動可能なため、マイクロミラー３ｂの傾斜角を適当に制御することにより、マイクロミラー３ｂの反射光を対応する出力ポート１ｂに向けることができる。以上のように、２つのマイクロミラー３ａ，３ｂの傾斜角を適当に制御することにより、任意の入力ポート１ａと任意の出力ポート１ｂとの間を接続することができる。
【０００４】
入力側マイクロミラー３ａは、入力ポート１ａの各ポートの光軸上に配置される。各入力側マイクロミラー３ａは、対応する入力ポート１ａからの入射光を偏向することができる。また、出力側マイクロミラー３ｂは、出力ポート１ｂの各ポートの光軸上に配置される。各出力側マイクロミラー３ｂは、対応する出力ポート１ｂに向けて入射光を偏向することができる。
【０００５】
【非特許文献１】T.Yamamoto，et al.，「A Three-Dimensional MEMS Optical Switching Module Having 100 Input and 100 Output Ports」，Photonics Technology Letters，IEEE，Vol.15，No.10，p.1360-1362
【発明の開示】
【発明が解決しようとする課題】
【０００６】
通常、光スイッチの電源がオフでミラー駆動電圧が印加されない場合、入力側マイクロミラー３ａの反射面は、入力側マイクロミラーアレイ２ａのマイクロミラー整列面６ａと平行になり、出力側マイクロミラー３ｂの反射面は、出力側マイクロミラーアレイ２ｂのマイクロミラー整列面６ｂと平行になる。また、スイッチングする際のミラー傾斜角を必要最小限とするため、ミラー３ａ，３ｂの傾斜角が０°、すなわちマイクロミラー整列面６ａ，６ｂと平行な場合、入力側マイクロミラー３ａの反射光は対向する出力側マイクロミラー３ｂに入射し、さらに出力側マイクロミラー３ｂの反射光は対応する出力ポート１ｂに入射するように、入力ポート１ａとマイクロミラーアレイ２ａ，２ｂと出力ポート１ｂは配置される。
【０００７】
このようなレイアウトの場合、以下のような問題点があった。ここでは、従来の光スイッチの問題点を説明するために、入力ポート１ａ内のあるポートを４ａ、この入力ポート４ａの光軸上に配置された入力側マイクロミラーを５ａ、この入力側マイクロミラー５ａと対向する出力側マイクロミラーを５ｂ、この出力側マイクロミラー５ｂに対応する出力ポートを４ｂとする。マイクロミラー５ａ，５ｂの傾斜角が０°の場合、入力ポート４ａからの出射光は、その光軸上に配置されたマイクロミラー５ａで反射され、マイクロミラー５ａと対向する出力側マイクロミラー５ｂでさらに反射され、出力ポート４ｂに入射する。
【０００８】
つまり、従来のレイアウトの場合、光スイッチの電源がオフの場合でも、入力ポート４ａと出力ポート４ｂとは接続されている。このため、例えばハイパワーの光信号を伝搬している光ファイバを入力ポート４ａに接続すると、光スイッチの電源がオフの場合でも、光信号は出力ポート４ｂまで到達するので、出力ポート４ｂの先に光デバイス等を接続している場合、デバイスの破壊や通信障害等を招く可能性があった。
【０００９】
本発明は、上記課題を解決するためになされたもので、電源オフ時に入力ポートから導入された信号光が入力ポートおよび出力ポートのいずれかに入射することを回避することができる光スイッチを提供することを目的とする。
【課題を解決するための手段】
【００１０】
本発明の光スイッチは、１つ以上の入力ポートと、１つ以上の出力ポートと、前記入力ポートから導入される１つ以上の信号光を独立に偏向させて任意の前記出力ポートに選択的に入射させる１つ以上の偏向素子と、この偏向素子の偏向角を制御する制御装置とを備え、前記偏向素子は、前記入力ポートの光軸上に配置された第１の偏向素子と、前記出力ポートの光軸上に配置された第２の偏向素子とからなり、前記制御装置に電源が供給されていない状態において、前記入力ポートから導入される信号光を前記入力ポートおよび前記出力ポートのいずれにも入射させない方向に偏向するよう配置され、前記制御装置に電源が供給されていない状態において、前記信号光が第１の偏向素子により偏向された後の光軸である第１の光軸と、この第１の偏向素子と向かい合う第２の偏向素子の出射光軸と前記出力ポートの光軸とが一致する場合の第２の偏向素子への入射光軸である第２の光軸とが一致しないことを特徴とするものである。
また、本発明の光スイッチの１構成例において、前記第１の光軸と前記第２の光軸とは平行であることを特徴とするものである。
また、本発明の光スイッチの１構成例において、前記出力ポートは、その入射端面が２次元的に並ぶように配置された複数の出力ポートからなり、前記第２の偏向素子は、各々の前記第２の光軸が平行となるように各出力ポートの光軸上に２次元的に配置された複数の偏向素子からなり、前記第１の偏向素子の第１の光軸は、この第１の偏向素子と向かい合う２つの第２の偏向素子の隙間を通ることを特徴とするものである。
また、本発明の光スイッチの１構成例において、前記制御装置は、電源が供給された時点から所定時間が経過するまで、前記電源が供給されていない状態の前記偏向素子の偏向角度を維持することを特徴とするものである。
また、本発明の光スイッチの１構成例において、前記偏向素子の少なくとも１つは、回動可能な反射ミラーであることを特徴とするものである。
【発明の効果】
【００１１】
本発明によれば、制御装置に電源が供給されていない状態において、入力ポートから導入された信号光が入力ポートおよび出力ポートのいずれかに入射することを回避することができる。その結果、本発明では、入出力ポートに接続された光デバイスの破壊や通信障害等が発生する可能性を大幅に低減することができる。また、本発明では、光スイッチのメンテナンス時の作業者の安全性を向上させることができる。
【００１２】
また、本発明では、第１の偏向素子の第１の光軸が、この第１の偏向素子と向かい合う２つの第２の偏向素子の隙間を通るようにすることにより、第１の光軸と第２の光軸をずらすことによるミラー傾斜角の増加分を最小限に抑えることができる。
【００１３】
また、本発明では、電源が供給された時点から所定時間が経過するまで、電源が供給されていない状態の偏向素子の偏向角度を維持することにより、電源オンの初期時においても光接続を回避することができる。
【発明を実施するための最良の形態】
【００１４】
［第１の実施の形態］
以下、本発明の実施の形態について図面を参照して説明する。図１（Ａ）〜図１（Ｃ）は従来の光スイッチの構成を示すブロック図、図２は本発明の第１の実施の形態に係る光スイッチの構成を示すブロック図である。図１（Ａ）〜図１（Ｃ）、図２において、１１は入力ポート、１２ａ〜１２ｄは出力ポート、１３はレンズ、１４は偏向素子となるミラー、２１はミラー１４の傾斜角を制御する制御装置である。
【００１５】
入力ポート１１および出力ポート１２ａ〜１２ｄは、それぞれ図示しない光ファイバとレンズとから構成される。入力ポート１１からの出射光は、レンズ１３を透過し、レンズ１３の焦点位置に配置されたミラー１４に入射する。ミラー１４は、紙面に垂直な軸を回動軸として回動可能であり、入力ポート１１からの出射光を反射して任意の出力ポート１２ａ〜１２ｄに入射させることができる。
【００１６】
ミラー装置として、非特許文献１に開示されたＭＥＭＳ技術によるマイクロミラー装置を用いる場合、マイクロミラー装置は、ミラー１４とこれに対向する駆動電極（不図示）と制御装置２１とから構成される。このミラー装置では、制御装置２１から駆動電極に駆動電圧を印加し、ミラー１４と駆動電極との間の電位差により発生する静電引力によりミラー１４を吸引して、ミラー１４を任意の方向へ回動させる。図１（Ａ）の従来例では、出力ポート１２ａに反射光が入射するようにミラー１４の傾斜角が制御されている。この状態において入力ポート１１と出力ポート１２ａは光接続される。同様に、ミラー１４の傾斜角を制御することにより、他の出力ポート１２ｂ〜１２ｄに切替接続することができる。
【００１７】
このような光スイッチの電源がオフの場合、すなわち制御装置２１に電源が供給されていない状態で駆動電圧が０Ｖの場合、ミラー１４の傾斜角は制御不能であり、ミラー１４は初期傾斜角の位置で静止している。図１（Ｂ）は電源オフ時のミラー１４の傾斜角が、入力ポート１１の光軸とミラー１４反射面の法線とが一致するような角度となっている例である。さらに、入力ポート１１の光軸とレンズ１３の光軸も一致している。この場合、光スイッチの電源オフ状態で入力ポート１１より光入力があると、ミラー１４により反射された光は入力ポート１１に戻り、入力ポート１１に接続されている光源（不図示）の故障や光源波長の変化に起因する通信障害等を引き起こす可能性がある。
【００１８】
また、図１（Ｃ）のように入力ポート１１がレンズ１３の光軸と一致しない場所に配置された場合においても、ミラー１４の反射光はレンズ１３の光軸に対して対称に配置された出力ポート１２ｄに入射する。この場合、光スイッチの電源オフ状態で入力ポート１１より光入力があると、出力ポート１２ｄに接続されている光デバイス（不図示）の故障や通信障害等を引き起こす可能性がある。また、光スイッチや光スイッチを用いる通信機器のメンテナンスは、通常は光スイッチの電源を切った状態で行われる。このようなメンテナンス時に、メンテナンスを行う作業者が出力ポートをのぞき込んだ状態で入力ポートから光信号が何らかの理由で入力された場合、作業者が目を損傷する可能性もある。
【００１９】
これに対して、本実施の形態は、光スイッチの電源オフ状態でのミラー１４の初期傾斜角を従来とは異なる角度とし、ミラー１４の反射光が入力ポート１１および出力ポート１２ａ〜１２ｄのいずれにも入射しないようにすることを特徴としている。図２の例では、ミラー１４の反射光が入力ポート１１および出力ポート１２ａ〜１２ｄに入射しないように反射方向が紙面内でずれるようミラー１４の初期傾斜角を設定している。
【００２０】
このように初期傾斜角を設定することにより、本実施の形態では、光デバイスの破壊や通信障害等が発生する可能性を大幅に低減することができる。また、本実施の形態では、光スイッチの電源オフ状態で出力ポート１２ａ〜１２ｄに光が入射することはないので、作業者の安全性を向上させることができる。
【００２１】
なお、図２の例では、１軸回動型のミラー１４を例に挙げて説明したが、これに限るものではなく、ミラー１４を例えば紙面に垂直な軸と紙面に平行な軸の２軸で回動する２軸回動型のミラーとしてもよく、２軸回動型のミラーを用いる場合には、電源オフ時のミラー１４の反射光が紙面と平行でない方向に向かうようにミラー１４の初期傾斜角を設定してもよい。
【００２２】
［第２の実施の形態］
次に、本発明の第２の実施の形態について説明する。図３（Ａ）、図３（Ｂ）は従来の光スイッチの構成を示すブロック図、図４（Ａ）、図４（Ｂ）は本発明の第２の実施の形態に係る光スイッチの構成を示すブロック図である。図３（Ａ）、図３（Ｂ）、図４（Ａ）、図４（Ｂ）において、１１ａ〜１１ｃは入力ポート、１２ａ〜１２ｃは出力ポート、１５ａ〜１５ｃは第１の偏向素子となる入力側ミラー、１６ａ〜１６ｃは第２の偏向素子となる出力側ミラー、１８は入力側ミラー１５ａ〜１５ｃのミラー整列面、１９は出力側ミラー１６ａ〜１６ｃのミラー整列面、２１ａは入力側ミラー１５ａ〜１５ｃおよび出力側ミラー１６ａ〜１６ｃの傾斜角を制御する制御装置である。
【００２３】
入力側ミラー１５ａ〜１５ｃは、それぞれ入力ポート１１ａ〜１１ｃの光軸上に配置され、入力側ミラーアレイを構成している。出力側ミラー１６ａ〜１６ｃは、それぞれ出力ポート１２ａ〜１２ｃの光軸上に配置され、出力側ミラーアレイを構成している。各ミラー１５ａ〜１５ｃ，１６ａ〜１６ｃは、それぞれ紙面に垂直な軸を回動軸として回動可能である。
【００２４】
図３（Ａ）の従来例では、入力ポート１１ｂからの出射光が入力側ミラー１５ｂと出力側ミラー１６ａで反射され、出力ポート１２ａに入射するように、ミラー１５ｂ，１６ａの傾斜角が制御されている。同様に、入力側ミラー１５ａ〜１５ｃと出力側ミラー１６ａ〜１６ｃの傾斜角を制御することにより、任意の入力ポート１１ａ〜１１ｃと任意の出力ポート１２ａ〜１２ｃ間で光経路を切替可能に構成することができる。
【００２５】
このような光スイッチの電源がオフの場合、入力側ミラー１５ａ〜１５ｃおよび出力側ミラー１６ａ〜１６ｃの傾斜角は制御不能である。これらのミラーを制御するミラー装置として、非特許文献１に開示されたＭＥＭＳ技術によるマイクロミラー装置を用いる場合、光スイッチの電源がオフのとき、すなわち制御装置２１ａから駆動電極に供給される駆動電圧が０Ｖのときには、入力側ミラー１５ａ〜１５ｃおよび出力側ミラー１６ａ〜１６ｃは初期傾斜角（傾斜角＝０°）の位置で静止している。このとき、入力側ミラー１５ａ〜１５ｃは、入力側ミラーアレイのミラー整列面１８と平行になり、出力側ミラー１６ａ〜１６ｃは、出力側ミラーアレイのミラー整列面１９と平行になる。
【００２６】
従来、スイッチングのためのミラー傾斜角を必要最小限とするため、初期傾斜角時に、入力側ミラー１５ａ〜１５ｃの反射光はそれぞれ対向する出力側ミラー１６ａ〜１６ｃに入射し、出力側ミラー１６ａ〜１６ｃの反射光はそれぞれ対応する出力ポート１２ａ〜１２ｃに入射するように、入力ポート１１ａ〜１１ｃと入力側ミラー１５ａ〜１５ｃと出力側ミラー１６ａ〜１６ｃと出力ポート１２ａ〜１２ｃとは配置されている。
【００２７】
例えば、図３（Ｂ）の従来例において入力側ミラー１５ｂに着目すると、傾斜角０°の場合に対向する出力側ミラー１６ｂに反射光が入射するように配置されている。この場合、入力側ミラー１５ｂの反射光が出力側ミラー１６ａに入射するための傾斜角をθとすると、入力側ミラー１５ｂに必要な傾斜角は−θ〜θ、入力側ミラー１５ａに必要な傾斜角は−２θ〜０°、入力側ミラー１５ｃに必要な傾斜角は０°〜２θとなり、すべてのミラーの必要傾斜角は±２θの範囲内となる。これに対し、入力側ミラーの傾斜角が０°のときの反射光が対向する出力側ミラーに入射しない場合には、いずれかの入力側ミラーの必要角度が±２θ範囲以上となる。
【００２８】
しかし、図３（Ｂ）の例の場合、電源オフ時の入力側ミラー１５ａ〜１５ｃおよび出力側ミラー１６ａ〜１６ｃの傾斜角は０°であり、入力ポート１１ｂから光入力があると、出力ポート１２ｂに光が入射するので、出力ポート１２ｂに接続されている光デバイス（不図示）の故障や通信障害等を引き起こす可能性がある。
【００２９】
そこで、本実施の形態では、図４（Ａ）に示すように入力側ミラー１５ａ〜１５ｃと出力側ミラー１６ａ〜１６ｃの位置をずらしている。図４（Ａ）、図４（Ｂ）において、１７ａは入力側ミラー１５ｂの傾斜角が０°のときの入力側ミラー１５ｂの反射光軸、１７ｂは出力側ミラー１６ｂの傾斜角が０°のときに反射光軸が出力ポート１２ｂの光軸と一致するような出力側ミラー１６ｂの入射光軸である。図３（Ａ）、図３（Ｂ）に示した従来の光スイッチでは、入力側ミラー１５ｂの反射光軸１７ａと出力側ミラー１６ｂの入射光軸１７ｂとは一致していた。
【００３０】
これに対して、図４（Ａ）の例では、入力側ミラー１５ｂの反射光軸１７ａと出力側ミラー１６ｂの入射光軸１７ｂとが平行状態を維持したまま位置がずれるように配置している。図４（Ａ）の例では、入力側ミラー１５ｂの反射光軸１７ａが出力側ミラー１６ａと１６ｂの中間を向くようにしている。このように、本実施の形態では、入力側ミラー１５ａ〜１５ｃと出力側ミラー１６ａ〜１６ｃの位置をずらすことにより、光スイッチの電源オフ時に入力側ミラー１５ａ〜１５ｃおよび出力側ミラー１６ａ〜１６ｃの傾斜角が０°の場合でも、入力ポート１１ａ〜１１ｃと出力ポート１２ａ〜１２ｃ間が接続されることはない。
【００３１】
図４（Ｂ）は、入力側ミラー１５ｂの反射光軸１７ａと出力側ミラー１６ｂの入射光軸１７ｂとが平行にならず、向きが異なるように配置した例である。つまり、図４（Ａ）の例では、入力側ミラーアレイのミラー整列面１８と出力側ミラーアレイのミラー整列面１９とが平行のまま反射光軸１７ａと入射光軸１７ｂの位置をずらしているが、図４（Ｂ）の例では、ミラー整列面１８と１９は平行になっていない。この図４（Ｂ）の例においても、図４（Ａ）の場合と同様の効果を得ることができる。
【００３２】
図４（Ａ）、図４（Ｂ）いずれの例においても、入力側ミラー１５ａ〜１５ｃは入力ポート１１ａ〜１１ｃの光軸上に配置され、出力側ミラー１６ａ〜１６ｃは出力ポート１２ａ〜１２ｃの光軸上に配置されており、入力ポート１１ａ〜１１ｃと入力側ミラー１５ａ〜１５ｃの位置関係および出力ポート１２ａ〜１２ｃと出力側ミラー１６ａ〜１６ｃの位置関係は図３（Ａ）、図３（Ｂ）に示した従来の光スイッチと同じにすることができるので、ポートとミラーの組み合わせを入出力とも同様に組み立てることができ、光スイッチの組み立ては容易である。
【００３３】
本実施の形態では、入力側ミラー１５ｂの反射光軸１７ａと出力側ミラー１６ｂの入射光軸１７ｂをずらすことにより、スイッチングに必要なミラー傾斜角が増加する。図４（Ａ）のように反射光軸１７ａと入射光軸１７ｂを平行にずらす場合には、入力側ミラー１５ｂの反射光軸１７ａが入力側ミラー１５ｂと対向する２つの出力側ミラー１６ａと１６ｂの中間位置（すなわち、２つのミラーの隙間）を通り、出力側ミラー１６ｂの入射光軸１７ｂが出力側ミラー１６ｂと対向する２つの入力側ミラー１５ｂと１５ｃの中間位置を通るようにずらすことにより、ミラー傾斜角の増加分を最小限に抑えることができる。
【００３４】
図５に入力ポート１１、出力ポート１２、入力側ミラー１５および出力側ミラー１６がそれぞれ２次元的に配列されている光スイッチを示す。この光スイッチの場合でも、入力側ミラー１５の反射光軸１７ａが対向する出力側ミラー１６とその隣接ミラー１６との中間位置を通り、出力側ミラー１６の入射光軸１７ｂが対向する入力側ミラー１５とその隣接ミラー１５との中間位置を通るように、入力側ミラー１５と出力側ミラー１６の位置をずらせばよい。
【００３５】
また、入力側ミラー１５の反射光軸１７ａと出力側ミラー１６の入射光軸１７ｂとのずれ量は、出力ポート１２への入射光の光軸に対する位置誤差と光結合効率との関係から決定しても良い。例えば結合効率が−４０ｄＢとなる出力ポート１２への入射光位置誤差がｄの場合、反射光軸１７ａと入射光軸１７ｂとの位置ずれ量をｄ以上にすればよい。
【００３６】
また、図４（Ｂ）のように反射光軸１７ａと入射光軸１７ｂの角度を変える場合には、出力ポート１２への入射光の光軸に対する角度誤差と光結合効率との関係からずれ量を決定する必要がある。例えば結合効率が−４０ｄＢとなる出力ポート１２への入射角度誤差がφ°の場合、反射光軸１７ａと入射光軸１７ｂとのずれ角度をφ°以上にすればよい。
【００３７】
このように、本実施の形態では、光スイッチの電源オフ時に入力側ミラーおよび出力側ミラーの傾斜角が０°の場合でも、入力ポートと出力ポート間が接続されることはないので、光デバイスの破壊や通信障害等が発生する可能性を大幅に低減することができる。また、メンテナンス時の作業者の安全性を向上させることができる。
【００３８】
［第３の実施の形態］
第１、第２の実施の形態では、光スイッチの電源オフ時の光接続の回避について述べたが、電源オンの初期時において光接続を回避する場合も同様である。例えば、１個のマイクロミラーあるいはミラーアレイを用いた光スイッチでは、出力光の一部を分岐してその強度を測定し、出力光の強度に応じてマイクロミラーの偏向状態をフィードバック制御するような構成にすることもある。このような制御により、出力光をある一定の強度に保ったり、あるいは出力光を常に最大強度に保ったりすることができるが、意図しない光出力を阻止するために出力光を遮断することもできる。
【００３９】
この光スイッチの制御装置は、通常は光スイッチ（あるいはその光スイッチを利用する通信機器）の電源が投入された時点で動作を開始する。そして、フィードバック系が定常状態に落ち着くまでのある一定の時間は、マイクロミラーの制御は不能な状態になっている。したがって、この光スイッチの起動直後からマイクロミラー制御が定常状態に落ち着くまでの時間は、マイクロミラーの意図しない動作により、入力ポートから入力された信号光が、入力ポートあるいは出力ポートに入射してしまうことも予想される。
【００４０】
そこで、図６に示す制御装置２１ｂは、光スイッチ（あるいはその光スイッチを利用する通信機器）の電源が投入された時点から所定時間が経過するまでは入力側ミラー１５ａ〜１５ｃおよび出力側ミラー１６ａ〜１６ｃが初期傾斜角を維持するように構成されている。このとき、所定時間は、光スイッチあるいは通信機器の電源が投入された時点からマイクロミラー制御が定常状態に落ち着くまでの時間以上とすればよい。初期傾斜角の維持は、例えば所定時間が経過するまで各ミラー１５ａ〜１５ｃ，ミラー１６ａ〜１６ｃの駆動電極に供給する駆動電圧を０Ｖにすることで実現できる。
【００４１】
こうして、本実施の形態では、光スイッチ（あるいはその光スイッチを利用する通信機器）の電源投入時においても、入力ポートから入力された信号光が、入力ポートあるいは出力ポートに入射してしまうことによる光デバイスの損傷を避けることができる。
所定時間経過後、制御装置２１ｂは、各出力ポート１２ａ〜１２ｃに設けられた出力光検知装置２０ａ〜２０ｃにより出力光の強度を検出し、この出力光の強度に応じて各ミラー１５ａ〜１５ｃ，ミラー１６ａ〜１６ｃの傾斜角を制御する。
【産業上の利用可能性】
【００４２】
本発明は、信号光の経路の切り替えを行う光スイッチに適用することができる。
【図面の簡単な説明】
【００４３】
【図１】従来の光スイッチの構成を示すブロック図である。
【図２】本発明の第１の実施の形態に係る光スイッチの構成を示すブロック図である。
【図３】従来の光スイッチの構成を示すブロック図である。
【図４】本発明の第２の実施の形態に係る光スイッチの構成を示すブロック図である。
【図５】本発明の第２の実施の形態に係る光スイッチの他の構成を示す斜視図である。
【図６】本発明の第３の実施の形態に係る光スイッチの構成を示すブロック図である。
【図７】従来の光スイッチの構成例を示す斜視図である。
【符号の説明】
【００４４】
１１，１１ａ〜１１ｃ…入力ポート、１２，１２ａ〜１２ｄ…出力ポート、１３…レンズ、１４…ミラー、１５，１５ａ〜１５ｃ…入力側ミラー、１６，１６ａ〜１６ｃ…出力側ミラー、１８，１９…ミラー整列面、２０ａ〜２０ｃ…出力光検知装置、２１，２１ａ，２１ｂ…制御装置。
【図１】
0004823265.tif 000002
【図２】
0004823265.tif 000003
【図３】
0004823265.tif 000004
【図４】
0004823265.tif 000005
【図５】
0004823265.tif 000006
【図６】
0004823265.tif 000007
【図７】
0004823265.tif 000008